(57)【特許請求の範囲】
【請求項１】
複数のデータの通信を行う通信装置であって、
異なる周波数で通信を行う複数の通信手段と、
複数の前記通信手段それぞれによる電波放射の物理位置を選択し、選択する該物理位置を予め定められたタイミング毎に切り換える選択手段と、を有し、
前記通信手段は、映像データの通信を行い、
前記選択手段は、前記映像データのフレーム毎に選択する前記物理位置を切り換える
ことを特徴とする通信装置。
【請求項２】
前記通信手段は、
複数の周波数を切り換えて通信を行い、
前記選択手段は、
複数の前記通信手段それぞれに対して、前記通信を行う周波数として前記複数の周波数から互いに異なる周波数を選択し、選択する該周波数を予め定められたタイミング毎に切り換える
ことを特徴とする請求項１に記載の通信装置。
【請求項３】
前記選択手段は、
該通信手段に対して前記選択した前記周波数を示す情報を、前記通信手段に供給するデータに付加する
ことを特徴とする請求項２に記載の通信装置。
【請求項４】
前記複数のデータが前記複数の周波数にそれぞれ対応付けられ、
前記選択手段は、
前記選択した前記周波数に対応付けられたデータを選択して、該周波数で通信を行う前記通信手段に供給する
ことを特徴とする請求項２または請求項３に記載の通信装置。
【請求項５】
前記選択手段は、
複数の前記通信手段と複数のアンテナとの接続を切り換える切り換え手段を備え、
複数の前記通信手段と複数の前記アンテナとの接続を前記切り換え手段により切り換えることで、前記電波放射の物理位置を選択し、選択する該物理位置を切り換える
ことを特徴とする請求項１に記載の通信装置。
【請求項６】
複数のデータの通信を行う通信装置であって、
異なる周波数で通信を行う複数の通信手段と、
複数の前記通信手段それぞれによる電波放射の物理位置を選択し、選択する該物理位置を予め定められたタイミング毎に切り換える選択手段と、を有し、
前記通信手段は、
複数の周波数を切り換えて通信を行い、
前記選択手段は、
複数の前記通信手段それぞれに対して、前記通信を行う周波数として前記複数の周波数から互いに異なる周波数を選択し、選択する該周波数を予め定められたタイミング毎に切り換え、
前記通信手段は、映像データの通信を行い、
前記選択手段は、
前記映像データのフレーム毎に選択する前記周波数を切り換える
ことを特徴とする通信装置。
【請求項７】
前記選択手段は、
該通信手段に対して前記選択した前記周波数を示す情報を、前記通信手段に供給するデータに付加する
ことを特徴とする請求項６に記載の通信装置。
【請求項８】
前記複数のデータが前記複数の周波数にそれぞれ対応付けられ、
前記選択手段は、
前記選択した前記周波数に対応付けられたデータを選択して、該周波数で通信を行う前記通信手段に供給する
ことを特徴とする請求項６または請求項７に記載の通信装置。
【請求項９】
複数のデータの通信を行う通信方法であって、
異なる周波数で通信を行う複数の通信ステップと、
複数の前記通信ステップそれぞれによる電波放射の物理位置を選択し、選択する該物理位置を予め定められたタイミング毎に切り換える選択ステップと、を有し、
前記通信ステップは、映像データの通信を行い、
前記選択ステップは、前記映像データのフレーム毎に選択する前記物理位置を切り換える
ことを特徴とする通信方法。
【請求項１０】
複数のデータの通信を行う通信方法であって、
異なる周波数で通信を行う複数の通信ステップと、
複数の前記通信ステップそれぞれによる電波放射の物理位置を選択し、選択する該物理位置を予め定められたタイミング毎に切り換える選択ステップと、を有し、
前記通信ステップは、
複数の周波数を切り換えて通信を行い、
前記選択ステップは、
複数の前記通信ステップそれぞれに対して、前記通信を行う周波数として前記複数の周波数から互いに異なる周波数を選択し、選択する該周波数を予め定められたタイミング毎に切り換え、
前記通信ステップは、映像データの通信を行い、
前記選択ステップは、
前記映像データのフレーム毎に選択する前記周波数を切り換える
ことを特徴とする通信方法。
【請求項１１】
複数のデータの通信を行う通信装置に実行させるための通信プログラムであって、
異なる周波数で通信を行う複数の通信ステップと、
複数の前記通信ステップそれぞれによる電波放射の物理位置を選択し、選択する該物理位置を予め定められたタイミング毎に切り換える選択ステップと、を実行させ、
前記通信ステップは、映像データの通信を行い、
前記選択ステップは、前記映像データのフレーム毎に選択する前記物理位置を切り換える
ことを特徴とする通信プログラム。
【請求項１２】
複数のデータの通信を行う通信装置に実行させるための通信プログラムであって、
異なる周波数で通信を行う複数の通信ステップと、
複数の前記通信ステップそれぞれによる電波放射の物理位置を選択し、選択する該物理位置を予め定められたタイミング毎に切り換える選択ステップと、を実行させ、
前記通信ステップは、
複数の周波数を切り換えて通信を行い、
前記選択ステップは、
複数の前記通信ステップそれぞれに対して、前記通信を行う周波数として前記複数の周波数から互いに異なる周波数を選択し、選択する該周波数を予め定められたタイミング毎に切り換え、
前記通信ステップは、映像データの通信を行い、
前記選択ステップは、
前記映像データのフレーム毎に選択する前記周波数を切り換える
ことを特徴とする通信プログラム。
【発明の詳細な説明】
【技術分野】
【０００１】
本発明は、複数の通信先との間で通信を行う通信装置、通信方法および通信プログラムに関する。
【背景技術】
【０００２】
従来から、会議などの場において、パーソナルコンピュータ（以下、ＰＣと略称する）といった情報端末の画面情報をプロジェクタを使ってスクリーンに投影することで、その場の出席者間での情報の共有が行われている。多くの場合、情報端末は、プロジェクタに対して有線接続されている。その際、プロジェクタに設けられた画像入出力端子（ＤＶＩ(Digital  Visual  Interface)端子など）にケーブルで情報端末を接続し、ケーブルが届く位置で情報端末を操作しながら、スクリーンに画像を映し出す。
【０００３】
また、会議などでプロジェクタを使用する場合に、多少広い場所では、複数のプロジェクタを使い、これら複数のプロジェクタによりそれぞれ異なる情報を表示させることで、より多くの情報を表示しながら会議を進めるケースが増えてきている。また、ＴＶ会議システムなどで、例えば３面の大画面を利用した臨場感あるスクリーン投影を使うケースも増えている。この場合はプロジェクタを３台用意する必要がある。例えば、横長の映像を３分割し、３分割された映像を、隣接して配置された３面の画面に対して３台のプロジェクタを用いてそれぞれ映出させる。
【０００４】
互いに異なる映像を複数のプロジェクタにそれぞれ表示する場合、複数の映像送信元（例えばＰＣ）からの複数の画面情報を、複数のプロジェクタにそれぞれ表示させることが考えられる。また、１台のＰＣからの画面情報を３台のプロジェクタに表示するケースも考えられる。例えば、ＰＣに対して３つのディスプレイ接続ポートを設け、この３つのディスプレイ接続ポートに対して、３つの画面情報をそれぞれ出力させる。
【０００５】
また、近年、無線通信の通信速度が高速化され、プロジェクタと情報端末との接続を無線化する技術が実用化されていることが、既に知られている。
【０００６】
特許文献１には、複数のプロジェクタに対して、画像データをプロジェクタの位置に合わせて分割し、切り出した画像データ位置情報とプロジェクタの識別情報とを関連付けて、ネットワークを介して送信する画像データが対応するプロジェクタのみに伝送されるようにした画像伝送マルチ表示システムが開示されている。特許文献１によれば、複数に分割して無線送信された画像を、複数のプロジェクタを使って大画面に合成することができる。
【０００７】
ところで、従来の無線による接続方法では、無線送信機と受信機とが１対１の関係となっていた。そのため、１台のＰＣから３台のプロジェクタに対してそれぞれ異なる情報を送信する場合は、３台のプロジェクタをシリアルに情報を送信する必要がある。この場合、３台のプロジェクタそれぞれに対する伝送容量は、ＰＣから送信される伝送容量の１／３となってしまうことになる。ＰＣから、３０ｆｐｓ(frame  per  second)の伝送レートで映像データを送信することを考えると、１台のプロジェクタ当たりの伝送レートが１０ｆｐｓとなり、動画映像の送信が困難となる。
【０００８】
そこで、それぞれ独立して伝送を行うことが可能な複数のチャネルを使用して映像を送信することが考えられる。例えば、同時に３チャネルを用いて、各チャンネルそれぞれで並列的に映像データの送信を行う。この場合、３台のプロジェクタそれぞれに１チャネルずつを割り当てることで、各プロジェクタにおいて３０ｆｐｓの伝送レートを確保でき、動画映像に対応可能となる。
【発明の概要】
【発明が解決しようとする課題】
【０００９】
ところが、複数のチャネルを用いた場合であっても、複数のプロジェクタのうち一部のプロジェクタと映像送信元との間の伝送路の品質が悪い場合がある。例えば、映像送信元（ＰＣ）と、あるプロジェクタとの間の伝送路の距離が長距離であったり、映像送信元から見てあるプロジェクタが見通し外であったり、さらには、マルチパスフェージングの影響など、さまざまな要因により、伝送路の品質が劣化する可能性がある。
【００１０】
全ての伝送路を良好な状態とするためには、複数台のプロジェクタそれぞれ、ならびに、映像送信元であるＰＣの設置場所を調整することが考えられる。しかしながら、例えば会議室などの障害物が多いような場所においては、ＰＣおよび複数のプロジェクタそれぞれの設置位置に制限があり、１台の映像送信元に対して、複数台のプロジェクタの伝送路を全て良好な状態に保つことは、困難な場合がある。
【００１１】
すなわち、無線通信は、伝送路によって通信品質が決定される。伝送路は、直接波以外にも、壁などに反射して到達する伝播路も含まれ、直接波および伝播路を統合した伝播パスが伝送路となる。ここで、例えば直接波が届かない見通しの悪い状況では、通信品質が劣化する可能性がある。１対１で通信する場合は、何方か一方がアンテナの向きを変えるなどして伝送路の状況を変えることが容易である。例えば、プロジェクタが固定的に設置されている場合であっても、映像送信元であるＰＣ（アンテナ）の向きを多少調整するだけで、伝送路の問題が解決される可能性がある。
【００１２】
一方、１台の画像送信元から複数のプロジェクタに対してそれぞれ映像データを送信するマルチスクリーン投影システムでは、複数のプロジェクタそれぞれの設置位置が固定的に使用されることが多い。この場合、映像送信元のＰＣにおいて、全てのプロジェクタに対して通信品質の良好な伝播路を確保するようにアンテナの方向などを決めるのは、容易ではない。
【００１３】
このような場合、複数のプロジェクタのうち例えば１台だけが伝送路の状態が悪いといった状況になる可能性がある。そうなると、複数のプロジェクタのうち１台のプロジェクタのみ、伝送レートが悪く、投影映像の表示画質が劣化しているという状況に陥ってしまうおそれがあるという問題点があった。
【００１４】
また、上述した特許文献１においても、複数のプロジェクタそれぞれに対する伝播路が異なる影響で、プロジェクタ間で映像品質に差が生じるおそれがあるという問題点は、解消できていない。
【００１５】
本発明は、上記に鑑みてなされたものであって、１台の通信装置から複数台の受信機に対して通信を行う場合に、特定の受信機における通信品質の劣化を抑制することを目的とする。
【課題を解決するための手段】
【００１６】
上述した課題を解決し、目的を達成するために、本発明は、複数のデータの通信を行う通信装置であって、異なる周波数で通信を行う複数の通信手段と、複数の通信手段それぞれによる電波放射の物理位置を選択し、選択する該物理位置を予め定められたタイミング毎に切り換える選択手段と、を有し、通信手段は、映像データの通信を行い、選択手段は、映像データのフレーム毎に選択する物理位置を切り換えることを特徴とする。
【００１７】
また、本発明は、複数のデータの通信を行う通信方法であって、異なる周波数で通信を行う複数の通信ステップと、複数の通信ステップそれぞれによる電波放射の物理位置を選択し、選択する該物理位置を予め定められたタイミング毎に切り換える選択ステップと、を有し、通信ステップは、映像データの通信を行い、選択ステップは、映像データのフレーム毎に選択する物理位置を切り換えることを特徴とする。
【発明の効果】
【００１８】
本発明によれば、１台の通信装置から複数台の受信機に対して通信を行う場合に、特定の受信機における通信品質の劣化を抑制できるという効果を奏する。
【図面の簡単な説明】
【００１９】
【図１】図１は、第１の実施形態に適用可能なマルチスクリーン投影システムの一例の構成を概略的に示す略線図である。
【図２】図２は、各スクリーンに表示される画像の例を示す略線図である。
【図３】図３は、第１の実施形態を適用しない場合の、マルチスクリーン投影システムによる通信方法の例を示す略線図である。
【図４】図４は、第１の実施形態を適用した場合の、マルチスクリーン投影システムによる通信方法の例を概略的に示す略線図である。
【図５】図５は、第１の実施形態を適用した場合の、マルチスクリーン投影システムによる通信方法の例をより具体的に示す略線図である。
【図６】図６は、ＷｉＭｅｄｉａ方式による通信方式について説明するための略線図である。
【図７】図７は、ＷｉＭｅｄｉａ方式により定義される周波数ホッピングのシーケンスを示すシーケンス図である。
【図８】図８は、第２の実施形態に適用可能な通信装置の一例の構成を示すブロック図である。
【図９】図９は、第２の実施形態に係る送信部の一例の構成を示すブロック図である。
【図１０】図１０は、第２の実施形態に係るＲＦ部の一例の構成を示すブロック図である。
【図１１】図１１は、第２の実施形態に適用可能な無線パケットの一例の構成を概略的に示す略線図である。
【図１２】図１２は、第２の実施形態による選択制御テーブルの一例の構成を示す略線図である。
【図１３】図１３は、第３の実施形態に適用可能な通信装置の一例の構成を示すブロック図である。
【図１４】図１４は、第３の実施形態による選択制御テーブルの一例の構成を示す略線図である。
【発明を実施するための形態】
【００２０】
（第１の実施形態）
以下に添付図面を参照して、通信装置および通信方法の実施形態を詳細に説明する。図１は、第１の実施形態に適用可能なマルチスクリーン投影システムの一例の構成を概略的に示す。図１に例示されるマルチスクリーン投影システムは、映像送信元としての１台の情報端末１（例えばパーソナルコンピュータ）から出力される異なる３つの映像を、無線通信により３台のプロジェクタ装置５ａ、５ｂおよび５ｃに対して同時に送信し、各プロジェクタ装置５ａ、５ｂおよび５ｃにより、スクリーン６ａ、６ｂおよび６ｃにそれぞれ表示させるようにしたものである。
【００２１】
図２は、各スクリーン６ａ、６ｂおよび６ｃに表示される画像の例を示す。例えば、１画面を３分割した映像＃１、映像＃２および映像＃３を各スクリーン６ａ、６ｂおよび６ｃにそれぞれ表示させる。各スクリーン６ａ、６ｂおよび６ｃを適切な位置に設置することで、３分割された映像＃１、映像＃２および映像＃３で元の１画面を構成させることができ、より多くの情報を表示させることが可能となる。
【００２２】
図１において、情報端末１は、例えば情報端末１が有するディスプレイに表示させる画面（メイン画面とする）と、情報端末１が内部的に生成する画面（仮想画面とする）とを出力することができるものとする。また、仮想画面は、第１および第２の仮想画面の２画面を出力可能であるものとする。これらメイン画面、ならびに、第１および第２の仮想画面の画面情報は、例えばそれぞれ１秒間に３０フレームや６０フレームといった単位で更新される。
【００２３】
なお、メイン画面を表示させるための映像データは、情報端末１が備えるディスプレイポートから出力される。第１および第２の仮想画面を表示させるための映像データは、例えば、ＵＳＢ(Universal  Serial  Bus)などのインターフェイスを介して接続されたグラフィクスアダプタに設けられたディスプレイポートから出力される。これに限らず、情報端末１が複数のディスプレイポートを備える場合には、メイン画面の映像データと、第１および第２の仮想画面のうち少なくとも一方の映像データとを、情報端末１が備える複数のディスプレイポートからそれぞれ出力させるようにできる。
【００２４】
以下では、適宜、メイン画面を表示させるための映像データを映像データ＃１、第１および第２の仮想画面を表示させるための映像データを、それぞれ映像データ＃２、映像データ＃３と呼ぶ。
【００２５】
情報端末１と通信装置２とがケーブル３で接続される。ケーブル３は、情報端末１から出力される画像データを通信装置２に転送する。図１では、ケーブル３が１本として示されているが、実際には、表示させる画面の枚数分の本数のケーブル３が接続されることになる。メイン画面と、第１および第２の仮想画面との３画面を表示させるこの例では、３本のケーブル３による接続がなされる。
【００２６】
通信装置２は、複数の送信部と、当該複数の送信部にそれぞれ対応する複数のアンテナ４ａ、４ｂおよび４ｃとを備え、アンテナ４ａ、４ｂおよび４ｃ毎に異なる周波数または周波数帯域（チャネル）で、同時に送信を行うことが可能である。詳細は後述するが、通信装置２は、アンテナ４ａ、４ｂおよび４ｃそれぞれにより送信される信号の送信周波数を、予め定められたタイミング毎に切り換えることができる。
【００２７】
プロジェクタ装置５ａ、５ｂおよび５ｃは、通信装置２から送信された信号を受信して、スクリーン６ａ、６ｂおよび６ｃにそれぞれ映像を投影する。ここで、プロジェクタ装置５ａ、５ｂおよび５ｃは、受信を行う周波数または周波数帯域（以下、適宜、周波数と略称する）を設定可能であるものとする。すなわち、プロジェクタ装置５ａ、５ｂおよび５ｃは、通信装置２から送信された、互いに周波数の異なる複数の信号のうち、それぞれ対応する周波数の信号を選択的に受信することができる。
【００２８】
図３〜図５を用いて、第１の実施形態による通信方法について、概略的に説明する。なお、図３および図５において、通信装置２のアンテナ４ａ、４ｂおよび４ｃから信号を送信する送信部を、それぞれ送信部ＴＸ＃１、ＴＸ＃２およびＴＸ＃３として表す。プロジェクタ装置５ａ、５ｂおよび５ｃをそれぞれプロジェクタ装置Ｐ＃１、Ｐ＃２およびＰ＃３として表す。また、「ｆｒ＃ｎ」は、映像のフレームを表す。
【００２９】
情報端末１から出力される３画面分の映像データ＃１、＃２および＃３は、通信装置２が有する３つの送信部ＴＸ＃１、ＴＸ＃２およびＴＸ＃３により、３台のプロジェクタ装置５ａ、５ｂおよび５ｃに対してそれぞれ伝送される。ここで、３の送信部ＴＸ＃１、ＴＸ＃２およびＴＸ＃３は、互いに異なる周波数を使用し、全体として３の周波数を用いる。これにより、３台のプロジェクタ装置５ａ、５ｂおよび５ｃそれぞれに対する伝送容量として、情報端末１と１台のプロジェクタ装置との間で１対１に通信を行う場合と同等の伝送容量を確保できる。映像情報は、単位時間当たりの伝送量が大きいので、複数の周波数を用いて通信を行うことは、効果的である。
【００３０】
図３は、本第１の実施形態を適用しない場合の、マルチスクリーン投影システムによる通信方法の例を示す。本第１の実施形態を適用しない場合、送信部ＴＸ＃１、ＴＸ＃２およびＴＸ＃３は、送信周波数がそれぞれ固定的とされる。図３の例では、映像データの伝送は、送信部ＴＸ＃１からプロジェクタ装置５ａ（Ｐ＃１）へ、送信部ＴＸ＃２からプロジェクタ装置５ｂ（Ｐ＃２）へ、送信部ＴＸ＃３からプロジェクタ装置５ｃ（Ｐ＃３）へと、送信側と受信側のペアを固定的として行われる。
【００３１】
この場合、各送信部ＴＸ＃１〜ＴＸ＃３と各プロジェクタ装置Ｐ＃１〜Ｐ＃３との間の伝送路が固定的とされ、各伝送路におけるエラー率（品質）が固定的となる。したがって、例えば１つの伝送路の品質が他の伝送路の品質よりも低い場合、品質の低い伝送路を介して信号を受信するプロジェクタ装置が固定され、当該プロジェクタ装置により投影される映像は、他のプロジェクタ装置により投影される映像に対して画質が劣化した状態が続くことになる。
【００３２】
図４は、本第１の実施形態を適用した場合の、マルチスクリーン投影システムによる通信方法の例を概略的に示す。ここで、各プロジェクタ装置５ａ、５ｂおよび５ｃは、それぞれ周波数ｆa、ｆbおよびｆcの信号を受信するように設定されているものとする。
【００３３】
例えば第１のタイミングでは、図４（ａ）に示されるように、送信部ＴＸ＃１により、映像データ＃１が、アンテナ４ａから周波数ｆaの信号として送信される。送信部ＴＸ＃２により、映像データ＃２が、アンテナ４ｂから周波数ｆbの信号として送信される。また、送信部ＴＸ＃３により、映像データ＃３が、アンテナ４ｃから周波数ｆcの信号として送信される。
【００３４】
なお、「周波数」を「周波数帯域」として用いる場合、「周波数ｆc」は、「周波数ｆcを中心周波数とし、所定の帯域幅を持つ周波数帯域」を意味するものとする。
【００３５】
次の第２のタイミングで、各送信部ＴＸ＃１〜ＴＸ＃３から送信される信号の周波数と、当該信号として送信される映像とが同期して切り換えられる。すなわち、図４（ｂ）に示されるように、送信部ＴＸ＃１により、映像データ＃３が、アンテナ４ａから周波数ｆcの信号として送信される。送信部ＴＸ＃２により、映像データ＃１が、アンテナ４ｂから周波数ｆaの信号として送信される。また、送信部ＴＸ＃３により、映像データ＃２が、アンテナ４ｃから周波数ｆbの信号として送信される。
【００３６】
その次の第３のタイミングで、さらに、各送信部ＴＸ＃１〜ＴＸ＃３から送信される信号の周波数と、当該信号として送信される映像とが同期して切り換えられる。すなわち、図４（ｃ）に示されるように、送信部ＴＸ＃１により、映像データ＃２が、アンテナ４ａから周波数ｆbの信号として送信される。送信部ＴＸ＃２により、映像データ＃３が、アンテナ４ｂから周波数ｆcの信号として送信される。また、送信部ＴＸ＃３により、映像データ＃１が、アンテナ４ｃから周波数ｆaの信号として送信される。
【００３７】
上述の図４（ａ）、図４（ｂ）および図４（ｃ）の何れのタイミングでも、周波数ｆaの信号がプロジェクタ装置５ａにより選択的に受信され、周波数ｆbの信号がプロジェクタ装置５ｂにより選択的に受信され、同様に、周波数ｆcの信号がプロジェクタ装置５ｃにより選択的に受信される。したがって、プロジェクタ装置５ａには、常に映像データ＃１が受信される。同様に、各プロジェクタ装置５ｂおよび５ｃには、常に映像データ＃２および＃３がそれぞれ受信される。
【００３８】
このように、予め定められたタイミング毎に、各送信部ＴＸ＃１〜ＴＸ＃３から送信される信号の周波数を切り換える。この送信信号の周波数の切り換えと同期させて、各送信部ＴＸ＃１〜ＴＸ＃３から送信される映像データ＃１〜＃３を切り換えて、各プロジェクタ装置５ａ〜５ｃに対して、常にそれぞれ連続した映像データ＃１〜＃３が伝送されるようにする。
【００３９】
図５は、本第１の実施形態を適用した場合の、マルチスクリーン投影システムによる通信方法の例をより具体的に示す。上述したように、本第１の実施形態では、送信部ＴＸ＃１、ＴＸ＃２およびＴＸ＃３の送信先を、予め定められたタイミング毎に切り換える。送信先の切り替えに同期させて、各プロジェクタ装置５ａ、５ｂおよび５ｃにそれぞれ対応するデータが受信されるように、送信部ＴＸ＃１、ＴＸ＃２およびＴＸ＃３から送信されるデータを切り換える。
【００４０】
図５の例では、送信部ＴＸ＃１、ＴＸ＃２およびＴＸ＃３の送信先は、映像データのフレームタイミングに同期して切り換えられている。
【００４１】
この場合、図５の例では、第１フレーム（ｆｒ＃１）では、送信部ＴＸ＃１は、プロジェクタ装置５ａ（Ｐ＃１）に対して映像データ＃１を周波数ｆaで送信する。送信部ＴＸ＃２は、プロジェクタ装置５ｂ（Ｐ＃２）に対して映像データ＃２を周波数ｆbで送信する。また、送信部ＴＸ＃３は、プロジェクタ装置５ｃ（Ｐ＃３）に対して映像データ＃３を周波数ｆcで送信する。
【００４２】
次に、第２フレーム（ｆｒ＃２）では、各送信部ＴＸ＃１、ＴＸ＃２およびＴＸ＃３の送信先を変更するために、送信周波数が切り替えられる。それと共に、同一の送信先に連続した映像データが送信されるように、各送信部ＴＸ＃１、ＴＸ＃２およびＴＸ＃３に対する映像データの入力元も、送信周波数の切り替えに同期して切り替えられる。
【００４３】
すなわち、送信部ＴＸ＃１は、プロジェクタ装置Ｐ＃３に対して映像データ＃３を周波数ｆcで送信する。送信部ＴＸ＃２は、プロジェクタ装置Ｐ＃１に対して映像データ＃１を周波数ｆaで送信する。また、送信部ＴＸ＃３は、プロジェクタ装置Ｐ＃２に対して映像データ＃２を周波数ｆbで送信する。
【００４４】
次の第３フレーム（ｆｒ＃３）においても同様にして、各送信部ＴＸ＃１、ＴＸ＃２およびＴＸ＃３の送信周波数が切り替えられると共に、各送信部ＴＸ＃１、ＴＸ＃２およびＴＸ＃３に対する映像データの入力元が切り替えられる。
【００４５】
すなわち、送信部ＴＸ＃１は、プロジェクタ装置Ｐ＃２に対して映像データ＃２を周波数ｆbで送信する。送信部ＴＸ＃２は、プロジェクタ装置Ｐ＃３に対して映像データ＃３を周波数ｆcで送信する。また、送信部ＴＸ＃３は、プロジェクタ装置Ｐ＃１に対して映像データ＃１を周波数ｆaで送信する。
【００４６】
送信先の切換が映像フレームのフレームタイミングに同期しているので、各プロジェクタ装置５ａ、５ｂおよび５ｃは、送信部ＴＸ＃１、ＴＸ＃２およびＴＸ＃３のうち何れから送信された信号を受信するかを意識することなく、フレームの同期タイミングで通常の受信を繰り返せばよい。また、受信周波数チャネルの変更も行わない。
【００４７】
このように、本第１の実施形態によれば、各送信部ＴＸ＃１〜ＴＸ＃３と各プロジェクタ装置５ａ〜５ｃとのペアを切り換えながら送信を行い、各プロジェクタ装置５ａ〜５ｃに対する伝送路を所定のタイミング毎に変更している。これにより、アンテナ放射の物理位置を移動させることができ、電波の伝播経路を変化させることが可能となる。したがって、各送信部ＴＸ＃１〜ＴＸ＃３と各プロジェクタ装置５ａ〜５ｃとの間の伝送路に品質の低い伝送路が含まれている場合であっても、当該伝送路を介して信号を受信するプロジェクタ装置が固定されず、伝送路の品質による画質の劣化が目立たなくなる。
【００４８】
なお、上述では、３の送信部ＴＸ＃１〜ＴＸ＃３から３台のプロジェクタ装置５ａ〜５ｃに対して３の映像データを送信するものとして説明したが、これはこの例に限定されない。すなわち送信部、プロジェクタ装置および映像データは、それぞれ４以上であってもよいし、２の送信部から２台のプロジェクタ装置に対して２の映像データを送信するものでもよい。また、複数のプロジェクタに投影される複数の映像は、１の映像を３分割したものに限られず、それぞれ異なる内容の映像であってもよい。
【００４９】
（第２の実施形態）
次に、第２の実施形態について説明する。本第２の実施形態は、上述した第１の実施形態における通信方式として、ＷｉＭｅｄｉａ  ＵＷＢ通信方式を用いた例である。ＷｉＭｅｄｉａ  ＵＷＢは、無線通信方式の一つである超広帯域無線（ＵＷＢ：Ultra  Wide  Band）に対してＷｉＭｅｄｉａ  Ａｌｌｉａｎｃｅが推進した通信仕様であって、半径数ｍ以内の機器同士を無線接続する技術の一つである。ＷｉＭｅｄｉａ  ＵＷＢでは、周波数帯として３．１ＧＨｚ〜１０．６ＧＨｚが定義される。以下、ＷｉＭｅｄｉａ  ＵＷＢ通信方式を、ＷｉＭｅｄｉａ方式と略称する。
【００５０】
図６を用いて、ＷｉＭｅｄｉａ方式による通信方式について概略的に説明する。ＷｉＭｅｄｉａ方式では、３．１ＧＨｚ〜１０．６ＧＨｚのうち、図６に例示されるように、３．１６８ＧＨｚ（３１６８ＭＨｚ）〜１０．５６ＧＨｚ（１０５６０ＭＨｚ）を、１のバンドの帯域幅が５２８ＭＨｚである１４のバンド＃１〜＃１４に分割し、周波数帯域が隣接する３のバンド＃ｎ〜＃（ｎ＋２）で１のバンドグループを形成する。なお、最も高周波側のバンドグループ＃５は、２のバンドにより形成される。バンドグループ内の３バンドで、周波数ホッピングによりバンド（中心周波数）を時系列的に変更しながら通信を行うことができる。
【００５１】
図７は、ＷｉＭｅｄｉａ方式により定義される周波数ホッピングのシーケンスを示す。図７（ａ）は、バンドグループの中でバンド番号が低い（中心周波数が低い）バンドからバンド番号が高い（中心周波数が高い）バンドに順次および巡回的にホッピングする方式を示す。また、図７（ｂ）は、図７（ａ）に示す方式と逆であり、バンド番号が高いバンドからバンド番号が低いバンドに順次および巡回的にホッピングする方式を示す。これら図７（ａ）および図７（ｂ）に示されるホッピング方式は、識別子ＴＦＣ(Time  Frequency  Code)により識別される。
【００５２】
なお、ＷｉＭｅｄｉａ方式では、変調方式としてＭＢ−ＯＦＤＭ(Multi  Band-Orthogonal  Frequency  Division  Multiplexing)を用いることができる。例えば図７（ａ）に例示される範囲ａは、ＯＦＤＭシンボルであり、範囲ｂは、ゼロパディング部である。範囲ｂは、事実上のガードタイムとして用いられる。
【００５３】
各バンド＃１〜＃１４に対し、世界の各地域において使用可能なバンドが定められており、互いにバンドが重複しないように定めたバンドグループでは、全世界に共通して利用できる帯域が存在しなくなる。そのため、図６にバンドグループ＃６で示される、バンドグループ＃３および＃４とそれぞれ一部のバンドが重複するバンドグループが定義されている。
【００５４】
図８は、本第２の実施形態に適用可能な通信装置２の一例の構成を示す。なお、図８において、上述の図１と共通する部分には同一の符号を付し、詳細な説明を省略する。通信装置２は、それぞれ３チャネル分の、入力端子２０ａ、２０ｂおよび２０ｃと、バッファ２１ａ、２１ｂおよび２１ｃと、送信部２３ａ、２３ｂおよび２３ｃと、送信部２３ａ、２３ｂおよび２３ｃそれぞれに対応するアンテナ４ａ、４ｂおよび４ｃとを備える。また、通信装置２は、選択部２２と、タイミング検出部３０と、制御部３１とをさらに備える。
【００５５】
例えばパーソナルコンピュータである情報端末１が備える画像処理部１０において、メイン画面、第１の仮想画面および第２の仮想画面がそれぞれ生成される。生成された各画面は、例えばそれぞれ６０Ｈｚの周期で更新され、フレーム周期が６０Ｈｚの映像データとしてそれぞれ出力される。以下では、メイン画面、第１の仮想画面および第２の仮想画面の映像データを、それぞれ映像データ＃１、＃２および＃３と呼ぶ。
【００５６】
画像処理部１０から出力された映像データ＃１、＃２および＃３は、それぞれ垂直同期信号を付加されて、例えばＤＶＩ(Digital  Visual  Interface)規格に準ずるフォーマットの映像データとされる。これらＤＶＩ規格のフォーマットとされた映像データ＃１、＃２および＃３は、それぞれＤＶＩケーブルを介して情報端末１から出力され、通信装置２の入力端子２０ａ、２０ｂおよび２０ｃに入力される。
【００５７】
通信装置２において、入力端子２０ａ、２０ｂおよび２０ｃに入力された各映像データ＃１、＃２および＃３は、それぞれ例えば少なくとも２フレーム分の映像データを格納可能とされたバッファ２１ａ、２１ｂおよび２１ｃに一時的に溜め込まれる。
【００５８】
一方、タイミング検出部３０は、各映像データ＃１、＃２および＃３から垂直同期信号を抽出する。タイミング検出部３０は、各映像データ＃１、＃２および＃３から垂直同期信号が抽出されたタイミングに応じて、各映像データ＃１、＃２および＃３のフレームタイミングを示すタイミング信号を制御部３１に送信する。例えば、各映像データ＃１、＃２および＃３から抽出された垂直同期信号のうち、最もタイミングの遅い垂直同期信号に基づきタイミング信号を送信することが考えられる。
【００５９】
制御部３１は、例えばマイクロプロセッサと、ＲＯＭ(Read  Only  Memory)およびＲＡＭ(Random  Access  Memory)とを有し、マイクロプロセッサが、ＲＯＭに予め記憶されたプログラムに従い、ＲＡＭをワークメモリとして用いて動作し、この通信装置２の全体の動作を制御する。
【００６０】
制御部３１は、バッファ２１ａ、２１ｂおよび２１ｃに対して、読み出しを指示する読み出し制御信号を出力すると共に、選択部２２に対して切り替え制御信号を出力する。また、制御部３１は、送信部２３ａ、２３ｂおよび２３ｃに対して送信タイミングを指示する送信タイミング指示信号を出力する。これら読み出し制御信号、切り替え制御信号および送信タイミング指示信号は、タイミング検出部３０から受信したタイミング信号に同期して出力される。
【００６１】
制御部３１は、タイミング検出部３０からのタイミング信号を受信すると、バッファ２１ａ、２１ｂおよび２１ｃに対して読み出し制御信号を出力する。この読み出し制御信号に応じて、バッファ２１ａ、２１ｂおよび２１ｃから１フレーム分の映像データ＃１、＃２および＃３が読み出される。バッファ２１ａ、２１ｂおよび２１ｃから読み出された各映像データ＃１、＃２および＃３は、選択部２２に供給される。
【００６２】
また、制御部３１は、各バッファ２１ａ、２１ｂおよび２１ｃに対して、読み出された映像データが送信される送信チャネルＣＨを示す情報（以下、送信チャネルＣＨ情報と略称する）を設定する。送信チャネルＣＨ情報としては、送信チャネルの周波数帯域を示す情報を用いることができる。一例として、通信方式としてＷｉＭｅｄｉａ方式を適用したこの例では、バンド番号を送信チャネルＣＨ情報として用いることが可能である。これに限らず、送信チャネルＣＨ情報として、送信チャネルＣＨの中心周波数の値を用いることもできる。
【００６３】
すなわち、各バッファ２１ａ、２１ｂおよび２１ｃから読み出された、換言すれば、通信装置２の入力端子２０ａ、２０ｂおよび２０ｃに入力された映像データ＃１、＃２および＃３が、それぞれプロジェクタ装置５ａ、５ｂおよび５ｃのうち何れに送信されるかを設定する。この映像データと送信先の対応付けの設定は、通信装置２の起動時などに予め行ってもよいし、図示されない操作部に対するユーザ操作に応じて行ってもよい。例えば、スクリーン６ａ、６ｂおよび６ｃに実際に投影される映像を見ながら、各映像が所望の順序に並ぶように、映像データの送信先を設定することが考えられる。
【００６４】
ここでは、各バッファ２１ａ、２１ｂおよび２１ｃに対して送信チャネルＣＨ＃１、ＣＨ＃２およびＣＨ＃３がそれぞれ設定されるものとする。これにより、バッファ２１ａ、２１ｂおよび２１ｃからそれぞれ読み出された各映像データ＃１、＃２および＃３が、それぞれプロジェクタ装置５ａ、５ｂおよび５ｃに送信されるように設定される。
【００６５】
制御部３１から出力された読み出し制御信号に応じて、各バッファ２１ａ、２１ｂおよび２１ｃから映像データ＃１、＃２および＃３が読み出され、それぞれ選択部２２に供給される。このとき、各バッファ２１ａ、２１ｂおよび２１ｃから読み出された映像データ＃１、＃２および＃３に対し、それぞれ送信チャネルＣＨを示す情報が付加されて、選択部２２に供給される。
【００６６】
選択部２２は、各バッファ２１ａ、２１ｂおよび２１ｃから供給された映像データ＃１、＃２および＃３を、それぞれ送信部２３ａ、２３ｂおよび２３ｃの何れに供給するかを、制御部３１から供給される切り替え制御信号と、各映像データ＃１、＃２および＃３に付加された送信チャネルＣＨを示す情報とに従い選択する。また、この選択は、予め定められたタイミング毎、例えばフレームタイミング毎に切り換えられる。
【００６７】
選択部２２から出力された映像データ＃１、＃２および＃３は、送信チャネルＣＨを示す情報と共に、選択部２２において選択された送信部２３ａ、２３ｂおよび２３ｃにそれぞれ供給される。
【００６８】
各送信部２３ａ、２３ｂおよび２３ｃは、制御部３１から出力された送信タイミング指示信号に応じて、選択部２２から供給された映像データ＃１、＃２および＃３の送信処理を行う。すなわち、送信部２３ａ、２３ｂおよび２３ｃは、選択部２２から供給された映像データ＃１、＃２および＃３に対して後述する所定の信号処理を施し、変調する。そして、変調信号を、映像データ＃１、＃２および＃３にそれぞれ付加された送信チャネルＣＨ情報に基づいた周波数の送信信号に変換し、それぞれ対応するアンテナ４ａ、４ｂおよび４ｃに供給する。アンテナ４ａ、４ｂおよび４ｃは、供給された送信信号を電波に変換して放射することで送信信号を送信する。
【００６９】
送信部２３ａ、２３ｂおよび２３ｃは、それぞれ、互いに異なる周波数または周波数帯域であるチャネルＣＨ＃１、ＣＨ＃２およびＣＨ＃３から何れか１を選択して送信が可能とされている。例えば、チャネルＣＨ＃１、ＣＨ＃２およびＣＨ＃３は、ＷｉＭｅｄｉａ方式における１のバンドグループ内の３のバンドをそれぞれ割り当てることができる。より具体的には、バンドグループ＃６を使用する場合、例えばチャネルＣＨ＃１にバンド＃９を、チャネルＣＨ＃２にバンド＃１０を、チャネルＣＨ＃３にバンド＃１１をそれぞれ割り当てることが考えられる。
【００７０】
送信部２３ａは、映像データ＃１に付加される送信チャネルＣＨ情報に従い、チャネルＣＨ＃１、ＣＨ＃２およびＣＨ＃３のうち何れか１が、送信チャネルとして設定される。送信部２３ｂおよび２３ｃにおいても同様に、映像データ＃２および＃３に付加される送信チャネルＣＨ情報に従い、それぞれチャネルＣＨ＃１、ＣＨ＃２およびＣＨ＃３のうち何れか１が、送信チャネルとして設定される。なお、送信部２３ａ、２３ｂおよび２３ｃは、互いに異なるチャネルが設定される。
【００７１】
プロジェクタ装置５ａ、５ｂおよび５ｃは、それぞれ受信チャネルがチャネルＣＨ＃１、ＣＨ＃２およびＣＨ＃３に固定的とされている。例えば、通信装置２において選択部２２の選択に従い各送信部２３ａ、２３ｂおよび２３ｃからの送信が、それぞれチャネルＣＨ＃１、ＣＨ＃２およびＣＨ＃３を用いて行われていた場合、送信部２３ａから送信された信号がプロジェクタ装置５ａに受信され、送信部２３ｂから送信された信号がプロジェクタ装置５ｂに受信され、送信部２３ｃから送信された信号がプロジェクタ装置５ｃに受信される。
【００７２】
なお、各プロジェクタ装置５ａ、５ｂおよび５ｃ、ならびに、対応するスクリーン６ａ、６ｂおよび６ｃは、各スクリーン６ａ、６ｂおよび６ｃにより投影される３の映像＃１、＃２および＃３が適切な関係になるように設置すると好ましい。
【００７３】
図９は、送信部２３ａ、２３ｂおよび２３ｃの一例の構成を示す。なお、送信部２３ａ、２３ｂおよび２３ｃは、共通の構成で実施可能であるため、図９においては、送信部２３ａを代表させて示している。送信部２３ａは、ＭＡＣ部２００、ＢＢ部２０１およびＲＦ部２０２を有する。
【００７４】
ＭＡＣ(Medeia  Access  Control)部２００に対して、選択部２２から出力された映像データ＃ｎが映像フレーム毎に供給されると共に、映像データ＃ｎに付加された送信チャネルＣＨ情報が供給される。ＭＡＣ部２００は、供給された映像データ＃ｎの映像フレームに対して、通信プロトコルに関する処理を行い、データの送信単位である送信フレームを生成する。例えば、ＭＡＣ部２００は、供給された映像データ＃ｎの１フレームを所定サイズに分割し、ヘッダを付加して送信フレームを生成する。
【００７５】
送信フレームに付加されるヘッダは、例えば以下のような、当該送信フレームに含まれるデータに関する情報が含まれる。
（１）当該データが映像フレームの先頭のデータであるか否かを示す情報。
（２）当該データが属する映像フレームの、映像データ＃ｎでの位置を示すフレーム番号。
（３）当該データが属する映像フレームのデータ長。
（４）当該データの、当該データが属する映像フレーム内での位置を示す情報。
【００７６】
ＭＡＣ部２００は、生成した送信フレームを、チャネル切り替え信号ＣＨと共にＢＢ（ベースバンド）部２０１に供給する。
【００７７】
ＢＢ部２０１は、ＭＡＣ部２００からデジタルデータとして供給された送信フレームに対してスクランブル処理を施してデータの「１」および「０」の比率の時間的偏りを減らし、さらに、誤り訂正符号化処理を施して誤り訂正符号を生成する。生成された誤り訂正符号は、送信フレームにさらに格納される。ＢＢ部２０１は、この送信フレームのデータに対して、例えばＣＲＣ(cyclic  redundancy  check)により誤り検出符号化処理を施す。誤り検出符号化処理により生成された誤り検出符号は、送信フレームに対して付加される。
【００７８】
ＢＢ部２０１は、このようにして所定のデジタル施され、誤り検出符号を付加された送信フレームを、送信チャネルＣＨ情報と共に、ＲＦ部２０２に対して出力する。
【００７９】
図１０は、ＲＦ部２０２の一例の構成を示す。図１０に例示されるように、ＲＦ部２０２は、変調部２１２と周波数選択部２１３とを有する。ＢＢ部２０１から供給された誤り検出符号が付加された送信フレームは、変調部２１２で所定の信号処理を施された後ＯＦＤＭにより変調される。誤り検出符号が付加された送信フレームが変調された変調信号は、周波数選択部２１３に供給される。
【００８０】
周波数選択部２１３には、ＢＢ部２０１から出力されたチャネル切り替え信号ＣＨも供給される。周波数選択部２１３は、変調部２１２から供給された変調信号を、送信チャネルＣＨ情報に示される送信チャネルに応じた周波数の送信信号に変換する。送信チャネルに応じた周波数に変換された送信信号は、アンテナ４ａにより電波に変換されて送信される。
【００８１】
本第２の実施形態では、電波を用いた無線通信によるデータ送信は、パケット単位で行われる。図１１は、本第２の実施形態に適用可能な無線パケットの一例の構成を概略的に示す。無線パケットは、例えば、先頭からプリアンブル３００、ＳＩＧ３０１、データ部３０２およびＣＲＣ３０３を含む。
【００８２】
プリアンブル３００は、無線パケットの先頭に付加される同期信号のビット列であり、２種類の長さが定義され、物理層（例えば変調部２１２）で付加される。ＳＩＧ３０１は、シグナルフィールドであって、変調方式（伝送速度）、データ部３０２に含まれるデータのデータ長などの情報が含まれ、物理層で付加される。
【００８３】
データ部３０２は、実際のデータが格納される部分で、ヘッダ３１０および映像データ３１１を含む。映像データ３１１は、上述した送信フレームが含まれる。ヘッダ３１０は、上述した、当該送信フレームに付加されるヘッダが含まれると共に、宛先、送信元およびアクセスポイントのＭＡＣ(Medeia  Access  Control)アドレスを示す情報が含まれる。ＣＲＣ３０３は、上述した、データ部３０２に格納されるデータの伝送誤りを検出するための誤り検出符号が格納される。
【００８４】
（選択部における選択処理）
ここで、選択部２２における選択処理について説明する。一例として、制御部３１は、予めＲＯＭなどに記憶される選択制御テーブルに従い、切り替え制御信号と、各送信部２３ａ、２３ｂおよび２３ｃそれぞれに対応するチャネル切り替え信号ＣＨとを生成し、それぞれ選択部２２および各送信部２３ａ、２３ｂおよび２３ｃに供給する。
【００８５】
図１２は、選択制御テーブルの一例の構成を示す。図１２において、送信部ＴＸ＃１、ＴＸ＃２およびＴＸ＃３は、それぞれ送信部２３ａ、２３ｂおよび２３ｃを示し、チャネルＣＨ＃１、ＣＨ＃２およびＣＨ＃３は、各送信部２３ａ、２３ｂおよび２３ｃにおいて選択可能な送信チャネルを示す。各送信部２３ａ、２３ｂおよび２３ｃは、チャネルＣＨ＃１、ＣＨ＃２およびＣＨ＃３で互いに異なる周波数または周波数帯域を用いて信号を送信する。
【００８６】
選択制御テーブルでは、各送信部２３ａ、２３ｂおよび２３ｃと、送信チャネルＣＨ＃１、ＣＨ＃２およびＣＨ＃３との対応関係が複数パターン定義される。この複数のパターンは、例えば、図７（ａ）および図７（ｂ）を用いて説明した周波数ホッピングのシーケンスに従い定義することができる。図１２の例では、図７（ａ）の、バンドグループ内の３バンドをバンド番号の低い順（周波数の低い順）からホッピングするシーケンスに従い、パターンの順番が定義されている。
【００８７】
なお、受信側である各プロジェクタ装置５ａ、５ｂおよび５ｃは、それぞれ受信周波数または受信周波数帯域（すなわち受信チャネル）が固定とされている。したがって、各チャネルＣＨ＃１、ＣＨ＃２およびＣＨ＃３と、バッファ２１ａ、２１ｂおよび２１ｃからそれぞれ出力される映像データ＃１、＃２および＃３との関係は、１対１の関係であり、固定的とされる。
【００８８】
図１２の例では、パターンＰＴ＃１では、チャネルＣＨ＃１が送信部ＴＸ＃１に、チャネルＣＨ＃２が送信部ＴＸ＃２に、チャネルＣＨ＃３が送信部ＴＸ＃３に、それぞれ対応付けられている。パターンＰＴ＃２では、パターンＰＴ＃１の対応関係が１つずらされ、チャネルＣＨ＃１が送信部ＴＸ＃３に、チャネルＣＨ＃２が送信部ＴＸ＃１に、チャネルＣＨ＃３が送信部ＴＸ＃２に、それぞれ対応付けられている。パターンＰＴ＃３では、パターンＰＴ＃１の対応関係がさらに１つずらされ、チャネルＣＨ＃１が送信部ＴＸ＃２に、チャネルＣＨ＃２が送信部ＴＸ＃３に、チャネルＣＨ＃３が送信部ＴＸ＃１に、それぞれ対応付けられている。
【００８９】
制御部３１は、タイミング検出部３０からのタイミング信号を受け取ると、選択制御テーブルからパターンＰＴ＃ｎを取得し、パターンＰＴ＃ｎに示される送信部ＴＸ＃１〜ＴＸ＃３とチャネルＣＨ＃１〜ＣＨ＃３との対応関係を求める。そして、求めた送信部ＴＸ＃１〜ＴＸ＃３とチャネルＣＨ＃１〜ＣＨ＃３との対応関係を示す情報を、切り替え制御信号として選択部２２に対して供給する。
【００９０】
選択部２２は、この切り替え制御信号と、各映像データ＃１、＃２および＃３に付加される送信チャネルＣＨ情報とに従い、各映像データ＃１、＃２および＃３を、各チャネルＣＨ＃１、ＣＨ＃２およびＣＨ＃３に対応付けられた各送信部２３ａ、２３ｂおよび２３ｃに対してそれぞれ供給するように、バッファ２１ａ、２１ｂおよび２１ｃと送信部２３ａ（ＴＸ＃１）、２３ｂ（ＴＸ＃２）および２３ｃ（ＴＸ＃３）との間の経路を選択する。
【００９１】
一例として、選択部２２は、切り替え制御信号と各映像データ＃１、＃２および＃３に付加される送信チャネルＣＨ情報とに従い、チャネルＣＨ＃１に対応する映像データ＃１を、切り替え制御信号によりチャネルＣＨ＃１に対応付けられた例えば送信部２３ａに対して供給するように、経路を選択する。
【００９２】
制御部３１は、タイミング検出部３０からのタイミング信号を受け取る毎に、選択制御テーブルから順次巡回的にパターンＰＴ＃ｎを取得する。そして、取得したパターンＰＴ＃ｎから求めた送信部ＴＸ＃１〜ＴＸ＃３とチャネルＣＨ＃１〜ＣＨ＃３との対応関係に基づき、切り替え制御信号を選択部２２に供給する。
【００９３】
なお、上述では、選択制御テーブルに複数のパターンＰＴ＃ｎが記憶されているように説明したが、これはこの例に限定されない。例えば、選択制御テーブルに１のパターンＰＴのみを記憶させるようにしてもよい。この場合、制御部３１は、タイミング信号毎に、パターンＰＴ内の各チャネルＣＨ＃１〜ＣＨ＃３と、各送信部ＴＸ＃１〜ＴＸ＃３との対応関係を巡回的にシフトさせることが考えられる。
【００９４】
また、選択制御テーブルを用いない方法も考えられる。例えば、選択部２２において、制御部３１からタイミング信号毎に供給される切り替え制御信号に従い、各バッファ２１ａ、２１ｂおよび２１ｃと、各送信部２３ａ、２３ｂおよび２３ｃとの接続を巡回的に切り替える。同様に、各送信部２３ａ、２３ｂおよび２３ｃ側において、制御部３１からタイミング信号毎に供給されるチャネル切り替え信号ＣＨにそれぞれ従い、送信チャネルを巡回的に切り替える。
【００９５】
さらに、上述では、選択制御テーブルから取得するパターンＰＴ＃ｎを順次に切り替えるように説明したが、これはこの例に限定されない。例えば、タイミング信号毎にランダムにパターンＰＴ＃ｎを選択するようにしてもよい。
【００９６】
さらにまた、上述では、制御部３１は、パターンＰＴ＃ｎの切り替えを１映像フレームのタイミング毎に行っているが、これはこの例に限定されない。すなわち、パターンＰＴ＃ｎの切り替えは、２映像フレーム毎、３映像フレーム毎など、複数フレーム毎に行ってもよい。さらに、映像フレーム単位以下、例えばライン単位や通信パケット単位でパターンＰＴ＃ｎの切り替えを行うことも可能である。
【００９７】
このように、本第２の実施形態によれば、各送信部２３ａ〜２３ｃと各プロジェクタ装置５ａ〜５ｃとのペアを、フレームタイミングに同期させて切り替えながら送信を行うことで、各プロジェクタ装置５ａ〜５ｃに対する伝送路をフレームタイミング毎に変更することができる。これにより、アンテナ放射の物理位置を移動させることができ、電波の伝播経路を変化させることが可能となる。したがって、各送信部２３ａ〜２３ｃと各プロジェクタ装置５ａ〜５ｃとの間の伝送路に品質の低い伝送路が含まれている場合であっても、当該伝送路を介して信号を受信するプロジェクタ装置が固定されず、伝送路の品質による画質の劣化が目立たなくなる。
【００９８】
また、本第２の実施形態では、通信方式としてＷｉＭｅｄｉａ方式を適用しているため、ＷｉＭｅｄｉａ方式の特徴である高速通信や低消費電力といったメリットを得ることができると共に、開発コストや装置コストを抑えることが可能となる。
【００９９】
（第３の実施形態）
次に、第３の実施形態について説明する。図１３は、第３の実施形態による通信装置２’の一例の構成を示す。なお、図１３において、上述した図８と共通する部分には同一の符号を付して、詳細な説明を省略する。図１３に示す通信装置２’は、バッファ２１ａ、２１ｂおよび２１ｃと、送信部２３ａ’、２３ｂ’および２３ｃ’と、タイミング検出部３０と、制御部３１と、アンテナ選択部１００と、アンテナ４ａ、４ｂおよび４ｃとを有する。
【０１００】
上述した第２の実施形態では、各送信部２３ａ、２３ｂおよび２３ｃと、各アンテナ４ａ、４ｂおよび４ｃとの接続を固定的とし、各送信部２３ａ、２３ｂおよび２３ｃは、選択部２２による接続される送信チャネルの切り替えに応じて送信信号の周波数を切り替えていた。これに対して、第３の実施形態では、図１３に示されるように、各バッファ２１ａ、２１ｂおよび２１ｃすなわち各チャネルＣＨ＃１、ＣＨ＃２およびＣＨ＃３と各送信部２３ａ’、２３ｂ’および２３ｃとの接続が固定的とされ、アンテナ選択部１００により、各送信部２３ａ’、２３ｂ’および２３ｃ’に対する各アンテナ４ａ、４ｂおよび４ｃの接続が切り替えられる。
【０１０１】
アンテナ選択部１００は、図１３に示されるように、それぞれ３の選択出力端を持ち、制御部３１からの切り替え制御信号に従い選択出力端が切り替えられるスイッチ部１０１ａ、１０１ｂおよび１０１ｃを有する。各スイッチ部１０１ａ、１０１ｂおよび１０１ｃの３の選択出力端は、それぞれアンテナ４ａ、４ｂおよび４ｃに接続される。
【０１０２】
各送信部２３ａ’、２３ｂ’および２３ｃ’は、それぞれチャネルＣＨ＃１、ＣＨ＃２およびＣＨ＃３に対応する各バッファ２１ａ、２１ｂおよび２１ｃが関係を固定的として接続される。したがって、各送信部２３ａ’、２３ｂ’および２３ｃ’は、それぞれ対応する送信チャネルＣＨの送信周波数のみを送信可能であればよい。例えば、各送信部２３ａ’、２３ｂ’および２３ｃ’は、それぞれ単一の周波数ｆa、ｆbおよびｆcの信号を送信する。また、これにより、第３の実施形態では、送信チャネルＣＨ情報のやりとりを省略できる。
【０１０３】
各送信部２３ａ’、２３ｂ’および２３ｃ’は、図９および図１０を用いて説明した構成と同様な構成を適用できる。なお、第３の実施形態では、各送信部２３ａ’、２３ｂ’および２３ｃ’において、図９に示すＭＡＣ部２００と、図１０に示す周波数選択部２１３とに対して、例えば、固定的な送信チャネルを示すチャネル切り替え信号ＣＨが供給される。各送信部２３ａ’、２３ｂ’および２３ｃ’における送信周波数切替機能を省略してもよい。
【０１０４】
アンテナ選択部１００は、制御部３１からの切り替え制御信号に従い、各送信部２３ａ’、２３ｂ’および２３ｃ’と、各アンテナ４ａ、４ｂおよび４ｃとの接続を切り替える。このとき、アンテナ選択部１００は、切り替え制御信号に従い、各送信部２３ａ’、２３ｂ’および２３ｃ’に対して、各アンテナ４ａ、４ｂおよび４ｃが重複して接続されないように、スイッチ部１０１ａ、１０１ｂおよび１０１ｃの接続が制御される。
【０１０５】
３の送信部２３ａ’、２３ｂ’および２３ｃ’と、３のアンテナ４ａ、４ｂおよび４ｃとを重複せずに接続する組み合わせは３通りあるので、制御部３１は、例えば図１４に一例が示される選択制御テーブルに従い、アンテナ選択部１００の各スイッチ部１０１ａ、１０１ｂおよび１０１ｃを接続を制御する。なお、図１４において、送信部ＴＸ＃１’、ＴＸ＃２’およびＴＸ＃３’は、それぞれ送信部２３ａ’、２３ｂ’および２３ｃ’に対応する。また、アンテナＡＮ＃１、ＡＮ＃２およびＡＮ＃３は、それぞれアンテナ４ａ、４ｂおよび４ｃに対応する。
【０１０６】
図１４の例では、パターンＰＴ＃１’では、アンテナＡＮ＃１が送信部ＴＸ＃１’に、アンテナＡＮ＃２が送信部ＴＸ＃２’に、アンテナＡＮ＃３が送信部ＴＸ＃３’に、それぞれ対応付けられている。パターンＰＴ＃２’では、パターンＰＴ＃１’の対応関係が１つずらされ、アンテナＡＮ＃１が送信部ＴＸ＃３’に、アンテナＡＮ＃２が送信部ＴＸ＃１’に、アンテナＡＮ＃３が送信部ＴＸ＃２’に、それぞれ対応付けられている。パターンＰＴ＃３’では、パターンＰＴ＃１’の対応関係がさらに１つずらされ、アンテナＡＮ＃１が送信部ＴＸ＃２’に、アンテナＡＮ＃２が送信部ＴＸ＃３’に、アンテナＡＮ＃３が送信部ＴＸ＃１’に、それぞれ対応付けられている。
【０１０７】
制御部３１は、タイミング検出部３０からのタイミング信号を受信すると、バッファ２１ａ、２１ｂおよび２１ｃに対して読み出し制御信号を出力する。この読み出し制御信号に応じて、バッファ２１ａ、２１ｂおよび２１ｃから１フレーム分の映像データ＃１、＃２および＃３が読み出される。バッファ２１ａ、２１ｂおよび２１ｃから読み出された各映像データ＃１、＃２および＃３は、それぞれ送信部２３ａ’、２３ｂ’および２３ｃ’に供給される。
【０１０８】
また、制御部３１は、タイミング検出部３０からのタイミング信号を受け取ると、選択制御テーブルからパターンＰＴ＃ｎ’を取得し、パターンＰＴ＃ｎ’に示される送信部ＴＸ＃１’〜ＴＸ＃３’とアンテナＡＮ＃１〜ＡＮ＃３との対応関係を求める。そして、求めた送信部ＴＸ＃１’〜ＴＸ＃３’とアンテナＡＮ＃１〜ＡＮ＃３との対応関係を示す情報を、切り替え制御信号としてアンテナ選択部１００に対して供給する。
【０１０９】
アンテナ選択部１００は、この切り替え制御信号に従い各スイッチ部１０１ａ、１０１ｂおよび１０１ｃを制御して、送信部２３ａ’（ＴＸ＃１’）、２３ｂ’（ＴＸ＃２’）および２３ｃ’（ＴＸ＃３’）と、アンテナ４ａ（ＡＮ＃１）、４ｂ（ＡＮ＃２）および４ｃ（ＡＮ＃３）との間の経路を選択する。
【０１１０】
制御部３１は、タイミング検出部３０からのタイミング信号を受け取る毎に、選択制御テーブルから順次巡回的にパターンＰＴ＃ｎ’を取得する。そして、取得したパターンＰＴ＃ｎ’から求めた送信部ＴＸ＃１’〜ＴＸ＃３’とアンテナＡＮ＃１〜ＡＮ＃３との対応関係に基づき、切り替え制御信号をアンテナ選択部１００に供給する。
【０１１１】
このように、第３の実施形態の方法によっても、上述した第１および第２の実施形態と同様に、アンテナ放射の物理位置を移動させることができ、電波の伝播経路を変化させることが可能となる。
【０１１２】
なお、上述では、選択制御テーブルに複数のパターンＰＴ＃ｎ’が記憶されているように説明したが、これはこの例に限定されない。例えば、選択制御テーブルに１のパターンＰＴ’のみを記憶させるようにしてもよい。この場合、制御部３１は、タイミング信号毎に、パターンＰＴ’内の各送信部ＴＸ＃１’〜ＴＸ＃３’と、各アンテナＡＮ＃１〜ＡＮ＃３との対応関係を巡回的にシフトさせることが考えられる。
【０１１３】
また、選択制御テーブルを用いない方法も考えられる。例えば、アンテナ選択部１００において、制御部３１からタイミング信号毎に供給される切り替え制御信号に従い、各送信部２３ａ’、２３ｂ’および２３ｃ’と各アンテナ４ａ、４ｂおよび４ｃとの接続を巡回的に切り替える。
【０１１４】
さらに、上述では、選択制御テーブルから取得するパターンＰＴ＃ｎ’を順次に切り替えるように説明したが、これはこの例に限定されない。例えば、タイミング信号毎にランダムにパターンＰＴ＃ｎ’を選択するようにしてもよい。
【０１１５】
さらにまた、上述では、制御部３１は、パターンＰＴ＃ｎ’の切り替えを１映像フレームのタイミング毎に行っているが、これはこの例に限定されない。すなわち、パターンＰＴ＃ｎ’の切り替えは、２映像フレーム毎、３映像フレーム毎など、複数フレーム毎に行ってもよい。さらに、映像フレーム単位以下、例えばライン単位や通信パケット単位でパターンＰＴ＃ｎ’の切り替えを行うことも可能である。
【符号の説明】
【０１１６】
１  情報端末
２  通信装置
４ａ，４ｂ，４ｃ  アンテナ
５ａ，５ｂ，５ｃ  プロジェクタ装置
６ａ，６ｂ，６ｃ  スクリーン
２１ａ，２１ｂ，２１ｃ  バッファ
２２  選択部
２３ａ，２３ａ’，２３ｂ，２３ｂ’，２３ｃ，２３ｃ’  送信部
３０  タイミング検出部
３１  制御部
１００  アンテナ選択部
２００  ＭＡＣ部
２０１  ＢＢ部
２０２  ＲＦ部
２１２  変調部
２１３  周波数選択部
【先行技術文献】
【特許文献】
【０１１７】
【特許文献１】特開２００６−２８４９９０号公報
【図１】
0006048091.tif 000002
【図２】
0006048091.tif 000003
【図３】
0006048091.tif 000004
【図４】
0006048091.tif 000005
【図５】
0006048091.tif 000006
【図６】
0006048091.tif 000007
【図７】
0006048091.tif 000008
【図８】
0006048091.tif 000009
【図９】
0006048091.tif 000010
【図１０】
0006048091.tif 000011
【図１１】
0006048091.tif 000012
【図１２】
0006048091.tif 000013
【図１３】
0006048091.tif 000014
【図１４】
0006048091.tif 000015